(57)【要約】【課題】光情報記録再生装置による記録再生動作中にエア噛みの現象を解消し、記録再生時に薄型ディスクの面ブレを低減して記録再生動作を安定的に実行する。【解決手段】光情報記録再生プレイヤーのディスク装着部の間の少なくとも一部分に空気流入のための隙間を設け、スペーサーにより薄型ディスクとターンテーブルとの間に間隙を確保し、該間隙を通してディスクの回転により空気流入用の隙間から空気を導入するようにする。ターンテーブルと薄型ディスクとの間の隙間に空気流入用の隙間から流れ込んだ空気が、遠心力の働きもあいまってエア噛み現象を解消する。【選択図】図１
2008217861.tif 000002
【特許請求の範囲】
【請求項１】
厚みが０．３ｍｍ以下の薄型フレキシブルディスクに対して光情報記録及び／又は再生を行なうための光情報記録再生装置であって、
ターンテーブルと薄型フレキシブルディスクを取り付け、それら一体として回転させる、ディスク装着部と、
前記ディスク装着部における前記薄型フレキシブルディスクの装着を安定させるためのキャップと、
光ピックアップ及びサーボ回路を含む、記録再生部と、を備え、
前記ターンテーブルと薄型フレキシブルディスクとの間には、スペーサーによって隙間が形成され、
前記ディスク装着部は、回転時に空気を流入させるための空気流入部と、流入した空気を前記隙間に誘導するための空気誘導部と、を有し、
前記隙間に誘導された空気は、前記隙間全体に広がって前記薄型フレキシブルディスクの外周端より排出されることを特徴とする光情報記録再生装置。
【請求項２】
厚みが０．３ｍｍ以下の薄型フレキシブルディスクに対して光情報記録及び／又は再生を行なうための光情報記録再生装置であって、
ターンテーブルと薄型フレキシブルディスクを取り付け、それら一体として回転させる、ディスク装着部と、
前記ディスク装着部における前記薄型フレキシブルディスクの装着を安定させるためのキャップと、
光ピックアップ及びサーボ回路を含む、記録再生部と、を備え、
前記ターンテーブルと薄型フレキシブルディスクとの間には、スペーサーによって隙間が形成され、
前記ディスク装着部は、回転時に空気を流入させるための空気流入部を有し、
前記ターンテーブルは、前記流入した空気を前記隙間に誘導するための空気誘導切り欠き部を有し、
前記隙間に誘導された空気は、前記隙間全体に広がって前記薄型フレキシブルディスクの外周端より排出されることを特徴とする光情報記録再生装置。
【請求項３】
前記空気流入部は、前記ディスク装着部の表面から底部に向かって貫通する貫通孔であることを特徴とする請求項１又は２に記載の光情報記録再生装置。
【請求項４】
前記空気流入部は、前記ディスク装着部の表面に設けられた切り欠きであることを特徴とする請求項１又は２に記載の光情報記録再生装置。
【請求項５】
前記空気誘導部は、前記ディスク装着部のコーン形状部のスロープに形成された切り欠きであることを特徴とする請求項１に記載の光情報記録再生装置。
【請求項６】
前記空気流入部は、前記ディスク装着部の表面から底部に向かって貫通する貫通孔、又は、前記ディスク装着部の表面に設けられた切り欠きであることを特徴とする請求項５に記載の光情報記録再生装置。
【請求項７】
厚みが０．３ｍｍ以下の薄型フレキシブルディスクに対して光情報記録及び／又は再生を行なうための光情報記録再生装置であって、
ターンテーブルと薄型フレキシブルディスクを取り付け、それら一体として回転させる、ディスク装着部と、
前記ディスク装着部における前記薄型フレキシブルディスクの装着を安定させるためのキャップと、
光ピックアップ及びサーボ回路を含む、記録再生部と、を備え、
前記ターンテーブルと薄型フレキシブルディスクとの間には、スペーサーによって隙間が形成され、
前記キャップは、回転時に空気を流入させるための空気流入部を有し、
前記ディスク装着部は、流入した空気を前記隙間に誘導するための空気誘導部を有し、
前記隙間に誘導された空気は、前記隙間全体に広がって前記薄型フレキシブルディスクの外周端より排出されることを特徴とする光情報記録再生装置。
【請求項８】
前記空気流入部は、前記キャップの表面から裏面に貫通する貫通孔であり、
前記空気誘導部は、前記ディスク装着部のコーン形状部のスロープに形成された切り欠きであることを特徴とする請求項７に記載の光情報記録再生装置。
【請求項９】
前記空気流入部は、回転中心対称に円周状に複数設けられていることを特徴とする請求項１乃至８の何れか１項に記載の光情報記録再生装置。
【請求項１０】
前記スペーサーには、空気導入のための溝、穴、及び切れ込みのいずれかが形成されていることを特徴とする請求項１乃至９に記載の光情報記録再生装置。
【請求項１１】
前記ターンテーブルが、前記スペーサーを一体に形成してなることを特徴とする請求項１乃至１０の何れか１項に記載の光情報記録再生装置。
【請求項１２】
光情報記録再生装置を用いて、厚みが０．３ｍｍ以下の薄型フレキシブルディスクに対して光情報記録及び／又は再生を行なうための光情報記録再生方法であって、
前記光情報記録再生装置は、ターンテーブルと薄型フレキシブルディスクを取り付け、それら一体として回転させる、ディスク装着部と、前記ディスク装着部における前記薄型フレキシブルディスクの装着を安定させるためのキャップと、光ピックアップ及びサーボ回路を含む、記録再生部と、を備え、
前記ターンテーブルと薄型フレキシブルディスクとの間には、スペーサーによって隙間が形成され、
前記ディスク装着部は、空気を流入させるための空気流入部と、流入した空気を前記隙間に誘導するための空気誘導部と、を有し、
前記方法は、
前記ディスク装着部を回転させて、前記ターンテーブルと前記薄型フレキシブルディスクを一定的に回転させて前記空気流入部から空気を流入させ、
前記流入した空気を、前記空気誘導部を介して前記隙間に誘導させ、回転の遠心力によって、空気を前記隙間全体に広がらせて前記薄型フレキシブルディスクの外周端より排出することを特徴とする光情報記録再生方法。
【請求項１３】
光情報記録再生装置を用いて、厚みが０．３ｍｍ以下の薄型フレキシブルディスクに対して光情報記録及び／又は再生を行なうための光情報記録再生方法であって、
前記光情報記録再生装置は、ターンテーブルと薄型フレキシブルディスクを取り付け、それら一体として回転させる、ディスク装着部と、前記ディスク装着部における前記薄型フレキシブルディスクの装着を安定させるためのキャップと、光ピックアップ及びサーボ回路を含む、記録再生部と、を備え、
前記ターンテーブルと薄型フレキシブルディスクとの間には、スペーサーによって隙間が形成され、
前記ディスク装着部は、回転時に空気を流入させるための空気流入部を有し、
前記ターンテーブルは、前記流入した空気を前記隙間に誘導するための空気誘導切り欠き部を有し、
前記方法は、
前記ディスク装着部を回転させて、前記ターンテーブルと前記薄型フレキシブルディスクを一定的に回転させて前記空気流入部から空気を流入させ、
前記流入した空気を、前記空気誘導部を介して前記隙間に誘導させ、回転の遠心力によって、空気を前記隙間全体に広がらせて前記薄型フレキシブルディスクの外周端より排出することを特徴とする光情報記録再生方法。
【請求項１４】
光情報記録再生装置を用いて、厚みが０．３ｍｍ以下の薄型フレキシブルディスクに対して光情報記録及び／又は再生を行なうための光情報記録再生方法であって、
前記光情報記録再生装置は、ターンテーブルと薄型フレキシブルディスクを取り付け、それら一体として回転させる、ディスク装着部と、前記ディスク装着部における前記薄型フレキシブルディスクの装着を安定させるためのキャップと、光ピックアップ及びサーボ回路を含む、記録再生部と、を備え、
前記ターンテーブルと薄型フレキシブルディスクとの間には、スペーサーによって隙間が形成され、
前記キャップは、回転時に空気を流入させるための空気流入部を有し、
前記ディスク装着部は、流入した空気を前記隙間に誘導するための空気誘導部を有し、
前記方法は、
前記ディスク装着部を回転させて、前記ターンテーブルと前記薄型フレキシブルディスクを一定的に回転させて前記空気流入部から空気を流入させ、
前記流入した空気を、前記空気誘導部を介して前記隙間に誘導させ、回転の遠心力によって、空気を前記隙間全体に広がらせて前記薄型フレキシブルディスクの外周端より排出することを特徴とする光情報記録再生方法。
【発明の詳細な説明】
【技術分野】
【０００１】
本発明は、光情報記録再生装置及び方法に関し、特に、例えば、記録再生時の薄型フレキシブルディスク（以下、「薄型ディスク」という）の面ぶれを低減し、記録再生の安定化を図る技術に関する。
【背景技術】
【０００２】
近年、光ディスクの高容量化を図る様々な試みがなされており、中でも効率的な方法として、光ディスク基板の厚みを薄くして体積当たりの容量を増やすことが注目されている。例えば、特許文献１や特許文献２にあるように、薄い基板とその薄い基板を面ぶれが少なく安定に回転させるためのスタビライザーを組み合わせることにより、体積当たりの記録容量を増加する試みが提案されている。
【０００３】
ところが、特許文献１及び２に開示の方法においては、強度の弱い薄型ディスクを折り曲げながら回転させたり、スタビライザーが回転する薄型ディスクに接触する等ことから、薄型ディスクに確実かつ安定して記録再生する光情報記録再生システムを実現するには問題がある。
【０００４】
そこで、本発明者らは、薄型ディスクを用いるに際し、より確実かつ安全なシステムを構築するために、あえてスタビライザーを用いることをやめ、その代わりにターンテーブルを用いることを考えた。
【０００５】
【特許文献１】特開２００３−３３１５６１号公報
【特許文献２】特開２００３―９１９７０号公報
【発明の開示】
【発明が解決しようとする課題】
【０００６】
しかしながら、薄型ディスクをターンテーブルに載置して種々の実験を繰り返したところ、薄型ディスクは、以下に述べるように従来の記録媒体とは異なる挙動を示し、確実な記録再生が困難であることが判った。
【０００７】
まず、本発明者らは、１００μｍ程度の薄型ディスクを、ターンテーブルの上に載せて、このターンテーブルで薄型ディスクを支持することを試みた。ターンテーブルは光学ガラスで作製し、レーザーをこのターンテーブル越しに薄型ディスクに照射する。例えば１００μｍ厚の薄型ディスクと５００μｍ厚のターンテーブルを用意し、前者を後者の上に偏心が小さくなるように載せてみたところ、次のような現象が現れた。
【０００８】
（イ）ターンテーブルと薄型ディスクで、その一部の領域だけが静電気のため吸着してしまった。
（ロ）その吸着部分は他の部分を次々に巻き込んで吸着領域が拡がっていくのが観察された。
（ハ）ところが吸着領域の拡大はある範囲で落ち着いてそれ以上は拡がらなかった。
（ニ）結局、ターンテーブルと薄型ディスクは一様に吸着せず、ところどころにエア噛み部分が残った。
（ホ）このエア噛み部分が残ったターンテーブルに薄型ディスクが貼り付いたものをＤＶＤプレイヤー（ターンテーブル＋薄型ディスクで０．６ｍｍとなるように実験）で記録再生を試みたが、全く記録再生ができなかった。
【０００９】
本発明者らは、記録再生ができなかったのは、ドライブによるフォーカス追従が実行されなかったことによることを突き止めた。そして、これは、“エア噛み”によって局所的な面ぶれが発生することによるものと考えた。
【００１０】
従って、薄型ディスクにおいては、記録再生中にエア噛みが生じないようにしなければならない。
【００１１】
本発明はこのような状況に鑑みてなされたものであり、記録再生動作中にエア噛みの現象を起こさずに薄型ディスクに対して情報の記録再生を行うことのできる光情報記録再生装置、及び方法を提供するものである。
【課題を解決するための手段】
【００１２】
上記課題を解決するために、本発明では、ターンテーブルにスペーサーを組み、ターンテーブルの内周端と、光情報記録再生装置のディスク装着部の間の少なくとも一部分に空気流入のための隙間を設けた。即ちスペーサーを設けることにより、薄型ディスクとターンテーブルとの間に間隙を確保し、該間隙を通してディスクの回転により空気流入用の隙間から空気を導入するようにする。この隙間はターンテーブル側に設けられていても良いし光情報記録再生装置のディスク装着部に設けられていても良い。スペーサーはフレキシブルディスクの光情報記録領域の内径より小さい外周を有し、回転時にはスペーサーにより作られたターンテーブルと薄型ディスクとの間の隙間に空気流入用の隙間から流れ込んだ空気が、遠心力の働きもあいまってエア噛み現象を解消し、薄型ディスクとターンテーブルとの間の間隙から流入した空気がターンテーブルの表面に沿って外側に向かって流れ、薄型ディスクの形状をターンテーブルに倣わせることによって薄型ディスクを安定に回転させることができる。
【００１３】
即ち、本発明による光情報記録再生装置は、厚みが０．３ｍｍ以下の薄型ディスクに対して光情報記録及び／又は再生を行なうための光情報記録再生装置であって、ターンテーブルと薄型ディスクを取り付け、それら一体として回転させる、ディスク装着部と、ディスク装着部における薄型ディスクの装着を安定させるためのキャップと、光ピックアップ及びサーボ回路を含む、記録再生部と、を備えている。そして、ターンテーブルと薄型ディスクとの間には、スペーサーによって隙間が形成される。また、ディスク装着部は、回転時に空気を流入させるための空気流入部と、流入した空気を隙間に誘導するための空気誘導部と、を有する。これにより、隙間に誘導された空気は、回転の遠心力によって隙間全体に広がって薄型ディスクの外周端より排出される。
【００１４】
また、別の態様の光情報記録再生装置は、厚みが０．３ｍｍ以下の薄型ディスクに対して光情報記録及び／又は再生を行なうための光情報記録再生装置であって、ターンテーブルと薄型ディスクを取り付け、それら一体として回転させる、ディスク装着部と、ディスク装着部における薄型ディスクの装着を安定させるためのキャップと、光ピックアップ及びサーボ回路を含む、記録再生部と、を備えている。そして、ターンテーブルと薄型ディスクとの間には、スペーサーによって隙間が形成される。また、ディスク装着部は、回転時に空気を流入させるための空気流入部を有し、ターンテーブルは流入した空気を隙間に誘導するための空気誘導切り欠き部を有する。これにより、隙間に誘導された空気は、回転の遠心力によって隙間全体に広がって薄型ディスクの外周端より排出される。
【００１５】
なお、空気流入部は、ディスク装着部の表面から底部に向かって貫通する貫通孔、又は、ディスク装着部の表面に設けられた切り欠きのいずれかであってもよい。また、空気誘導部は、ディスク装着部のコーン形状部のスロープに形成された切り欠きであってもよいし、ターンテーブルが空気誘導部としての切り欠きを有するようにしてもよい。
【００１６】
さらに、別の態様の光情報記録再生装置は、厚みが０．３ｍｍ以下の薄型ディスクに対して光情報記録及び／又は再生を行なうための光情報記録再生装置であって、ターンテーブルと薄型ディスクを取り付け、それら一体として回転させる、ディスク装着部と、ディスク装着部における前記薄型ディスクの装着を安定させるためのキャップと、光ピックアップ及びサーボ回路を含む、記録再生部と、を備える。そして、ターンテーブルと薄型ディスクとの間には、スペーサーによって隙間が形成される。また、キャップは、回転時に空気を流入させるための空気流入部を有し、ディスク装着部は、流入した空気を隙間に誘導するための空気誘導部を有する。これにより、隙間に誘導された空気は、回転の遠心力によって隙間全体に広がって薄型ディスクの外周端より排出される。なお、この場合、空気流入部は、キャップの表面から裏面に貫通する貫通孔であり、空気誘導部は、ディスク装着部のコーン形状部のスロープに形成された切り欠きであってもよい。
【００１７】
さらなる本発明の特徴は、以下本発明を実施するための最良の形態および添付図面によって明らかになるものである。
【発明の効果】
【００１８】
本発明によれば、記録再生動作中にエア噛みの現象を起こさずに薄型ディスクに対して情報の記録再生を行うことができる。
【発明を実施するための最良の形態】
【００１９】
以下、添付図面を参照して本発明の実施形態について説明する。ただし、本実施形態は本発明を実現するための一例に過ぎず、本発明を限定するものではないことに注意すべきである。また、各図において共通の構成については同一の参照番号が付されている。
【００２０】
＜光情報記録再生装置の基本的構成＞
図１は、本発明の実施形態による光情報記録再生装置１の基本的概略構成を示す図である。光情報記録再生装置１は、薄型ディスク２０を載置するためのターンテーブル１０と、ターンテーブル１０及び薄型ディスク２０を回転させるためのスピンドル部（ディスク装着部）１１と、ターンテーブル１０と薄型ディスク２０との間に隙間２１を形成するためのスペーサー１２と、薄型ディスク２０を安定的に装着するためのキャップ１３と、光ピックアップ３０と、を備えている。また、光情報記録再生装置１は、記録／再生信号の入出力をするためのインターフェース部３１と、記録するための信号を符号化し、かつ、光ピックアップ３０によって読み取られた再生信号を復号する信号処理部３２と、フォーカス／トラッキングサーボ信号を生成するフォーカス／トラッキングサーボ回路３４と、フォーカス／トラッキングサーボ回路からのサーボ信号に応じて光ピックアップを作動させる光ヘッドアクセス機構３５と、スピンドル１１の回転速度を制御するための回転制御回路３３とを備えている。
【００２１】
スピンドル部１１は、回転時に底部から空気を流入させるための空気流入孔１１と、空気流入孔１１１から流入してきた空気をターンテーブル１０と薄型ディスク２０との間に形成された隙間２１に誘導するための空気誘導部１１２（スロープ部１１３に設けられた切り欠き）が設けられている。つまり、スピンドル部１１の基本的構成を示す図２（ａ）において、空気流入孔１１１は、例えば４つ設けられ（９０度間隔で）ている。また、空気誘導部１１２は、スピンドル部１１のスロープ部１１３に空気流入孔１１１と角度を合わせて対向するように設けられている。このとき、空気流入孔１１１から流入した空気が、空気誘導部１１２を通り、隙間２１を抜けて薄型ディスク２０の端部から排出されるようにするには、スペーサー１２は例えば図２（ａ）の点線で示される位置のように、空気流入孔１１１と空気誘導部１１２と重ならない位置に配置されるのが望ましい。
【００２２】
また、別の態様のスピンドル部１１は、図２（ｂ）に示されるように、空気流入孔１１１の代わりに空気流入端部１１４を備えている。その他の構成は図２（ａ）に示されるものと同様である。空気流入端部１１４から流入した空気は、スピンドル凹部１１５とターンテーブル１０との間に形成された空間及び空気誘導部１１２を通り、隙間２１を抜けて薄型ディスク２０の端部から排出される。なお、キャップ１３は、図２（ｃ）に示されるように、図２（ａ）及び（ｂ）において共通のものを用いることができる。なお、キャップ１３は、薄型ディスク２０の記録領域のさらに内側の最内周部を押さえるようにするのが好ましい。
【００２３】
以上のような構成を備える光情報記録再生装置１において、スピンドル１１によって薄型ディスク２０の回転が始まると、空気流入孔１１１又は空気流入端部１１４から流入した空気が薄型ディスク２０とターンテーブル１０に挟まれた隙間２１に流れ込み、さらに、その空気が遠心力により内周から外周へと定常的に移動する。これにより局所的なエア噛み現象が全面的に取り除かれる。
【００２４】
なお、空気流入孔１１１又は空気流入端部１１４及び空気誘導部１１２は、満遍なくスピンドル部１１に設けられることにより、均一な空気の流れを実現することが望ましい。実際には、その大きさにも依るが、複数個（３個から５０個）、回転中心対称かつ円周状に配置されるようにするのが望ましい。
【００２５】
また、スペーサー１２は、ターンテーブル１０と薄型ディスク２０にスペースを作ることが目的であるから、その形状はドーナツ状である必要はなく、種々の形状の凸部が薄型ディスク２０やターンテーブル１０（図３（ａ）参照）に一体的に成形されていても良いし、ターンテーブル１０とは別部材として設けるようにしても良い（図３（ｂ）参照）。何れの場合でもスペーサー１２の高さは、薄型ディスク１０とターンテーブル１０との隙間２１が、０．０１〜０．５ｍｍになるように設定されるのが好ましい。
【００２６】
また、空気流入用の貫通孔をターンテーブルに設けていても同様の効果を有すると考えられるが、スペーサーの外側に貫通孔を配置するため光をターンテーブル１０に透過させて記録再生を行なう場合、内周の記録エリアが狭くなってしまうという問題点がある。本発明の場合、空気流入をターンテーブル１０の内周端に設けることができるため、記録エリアを広く出来る点でターンテーブル１０に貫通孔をあけた場合よりも優れている。
【００２７】
さらにターンテーブルをガラスで構成した場合、空気流入用の貫通孔を設けると強度が大幅に低下し、高速回転での振動や、搬送時の衝撃で亀裂、割れが生じる可能性がある。本発明は、光情報記録再生プレイヤーのディスク装着部に空気流入用の隙間を設けることができるため、ターンテーブルをガラスで構成した場合においても強度を低下させることがない点において、空気流入用の貫通孔をターンテーブルに設けた方式よりも優れている。
【００２８】
また、ターンテーブル１０の径は、薄型ディスク２０の記録領域の最外周の径よりも大きく、薄型ディスク２０全体（基板）の径以下であることが望ましい。記録領域の最外周よりもターンテーブルの径を大きくすることにより記録領域における記録再生動作を安定的に行うことができ、また、ターンテーブル１０の径を基板の径以下にすることにより薄型ディスク２０をターンテーブル１０から剥がしやすくすることができるからである。
【００２９】
＜他の変形例＞
（１）スピンドル部１１及びキャップ１３の変形例（図４）
図４（ａ）はスピンドル部１１、図４（ｂ）はキャップ１３の他の態様をそれぞれ示し、この組み合せで使用される。他の構成は基本的構成と同様である。
【００３０】
図４（ａ）に示されるように、変形例（１）によるスピンドル部１１は上述の基本的構成とは異なり、スロープ１１３に空気誘導部１１２を有し、空気流入孔や空気流入端は設けられていない。その代わり、図４（ｂ）に示されるように、キャップ１３に空気流入孔（貫通孔）１３１が設けられている。この変形例において、キャップ１３は、空気流入孔１３１が空気誘導部１１２に合うように、スピンドル部１１に被せられる。そして、薄型ディスク２０及びターンテーブル１０を回転させたとき、キャップ１３の空気流入孔１３１から入り込んだ空気は、空気誘導部１１２を通り、スペーサー１２とターンテーブル１０との間の隙間２１を抜けて薄型ディスク２０の外周端部より排出される。これにより、上述の基本的構成と同様の効果を期待することができる。
【００３１】
（２）ターンテーブル１０及びスピンドル部１１の変形例（図５）
図５（ａ）はターンテーブル１０、図５（ｂ）及び（ｃ）はスピンドル部１１の他の態様をそれぞれ示し、（ａ）と（ｂ）、（ａ）と（ｃ）の組み合せで使用される。なお、他の構成は基本的構成と同様である。
【００３２】
図５（ａ）に示されるように、変形例（２）によるターンテーブル１０は、上述の基本的構成とは異なり、内周に設けられたチャッキング用孔１０２の周囲に切り欠き部１０１が設けられている。これは上記空気誘導部１１２をスピンドル部１１に設けない代わりにターンテーブル１０に設けられたものである。
【００３３】
一方、図５（ｂ）に示されるスピンドル部１１は、その最外周端に設けられた複数の空気流入端部１１４を備え、最外周端とチャッキング用コーンとの間は凹部１１５が形成されている。また、図５（ｃ）に示されるスピンドル部１１は、凹部１１５に複数の空気流入孔１１１が設けられている。この変形例において、基本的構成に係るキャップ１３がスピンドル部１１に被せられる。そして、薄型ディスク２０及びターンテーブル１０を回転させたとき、スピンドル部１１の空気流入端部１１４或いは空気流入孔１１１から入り込んだ空気は、ターンテーブル１０の切り欠き部１０１を通り、スペーサー１２とターンテーブル１０との間の隙間２１を抜けて薄型ディスク２０の外周端部より排出される。これにより、上述の基本的構成と同様の効果を期待することができる。
【００３４】
＜Ｂｌｕ−ｒａｙ用光情報記録再生装置の構成＞
図６は、Ｂｌｕ−ｒａｙ対応の光情報記録再生装置の構成を示す図である。図６に示されている構成以外は図１の構成と同様なので説明を省略する。
【００３５】
Ｂｌｕ−ｒａｙ用の場合、スピンドル部としては、図４（ａ）で示される構成を用いるのが好ましい。また、そのときのキャップ１３としては図４（ｂ）のものでも良いし、図６で示される構成のものでもよい。
【００３６】
Ｂｌｕ−ｒａｙ用光情報記録再生装置を用いて薄型ディスク２０に対し、情報の記録再生を実行する場合、ターンテーブル１０は薄型ディスク２０の上に載置される。つまり、ターンテーブル１０と薄型ディスク２０の順番が図１のものとは逆になる。
【００３７】
図６において、空気流入孔１３１から入り込んだ空気は空気誘導部１１２を通り、ターンテーブル１０と薄型ディスク２０との間の隙間２１を抜けて、外に排出される。これにより、エア噛みの問題が解消される。
【００３８】
＜実施例１＞
厚さ１００μｍのポリカーボネートフィルムに色素記録層、銀を主成分とする金属反射層、保護コートを積層した光記録再生可能な薄型ディスクの外径をφ１２０ｍｍとし、ターンテーブルとして、厚さ５００μｍのソーダガラス板で内径１５ｍｍφ、外径をφ１２０ｍｍとしたものを用意した。
【００３９】
ガラス板の内周部には図２に示すように、厚さ０．２ｍｍ、長さ１ｃｍ、幅３ｍｍのビニールテープ８枚を内周に沿って等間隔に貼り付けてスペーサーとした。
【００４０】
実施例１では、光情報記録再生装置のディスク装着部（スピンドル部）として、図２（ａ）又は（ｂ）示される構成のものが使用された。そして、ディスク装着部にターンテーブルを装着し、その上に薄型ディスクを乗せ、図２（ｃ）に示すマグネットキャップで、それぞれ同芯に固定した。ＤＶＤプレイヤを４０００ｒｐｍで回転させ、フォーカスエラー信号の最大値を測定したところ、最大値は４４０ｍＶであった。
【００４１】
一方、光情報記録再生装置のディスク装着部に空気流入用の隙間を設けないものを用いて、同様にフォーカスエラー信号の最大値を測定したところ、最大値は１７００ｍＶであった。
【００４２】
この結果の技術的意味を説明する。記録再生装置のフォーカスエラー信号を調べると、面ぶれの程度が把握できる。この面ぶれの程度は、記録再生装置のフォーカスエラー信号が７００ｍＶを超えるあたりから、トラック追従が不安定になり、情報再生信号の劣化が起きるまでに影響を及ぼすようになる。
【００４３】
図７（ａ）は、空気流入用の隙間を設けた光情報記録再生装置によって得られたフォーカスエラー信号の出力波形を示している。図７（ｂ）は、空気流入用の隙間がない光情報記録再生装置によって得られたフォーカスエラー信号の出力波形を示している。これらを比較すると、空気流入用の隙間を設けた光情報記録再生装置は、空気流入用の隙間がない光情報記録再生装置に対してフォーカスエラー信号が顕著に小さくなることがわかる。これは、空気流入用の隙間を設けることによりフレキシブル基板とガラス基板間に空気の流れが発生し、これによりエア噛みが防止されたと考えられる。なお、薄型ディスクとターンテーブルとを反転させて、プレイヤーにセットした場合は、図４に示す光情報記録再生プレイヤーのディスク装着部とディスクを固定するキャップ側を用いることによりでも同様の効果が得られる。
【００４４】
＜実施例２＞
厚さ１００μｍのポリカーボネートフィルムに色素記録層、銀を主成分とする金属反射層、保護コートを積層した光記録再生可能な薄型ディスクの外径をφ１２０ｍｍとし、ターンテーブルとして、厚さ５００μｍのソーダガラス板で内径１５ｍｍφ、外径をφ１２０ｍｍとしたものを用意した。
【００４５】
ガラス板の内周端には図５（ａ）に示すように、幅３ｍｍ、長さ３ｍｍの切りかきを等間隔に８個形成し、それらの間に、厚さ０．２ｍｍ、長さ１ｃｍ、幅３ｍｍのビニールテープ８枚を内周に沿って等間隔に貼り付けてスペーサーとした。
【００４６】
光情報記録再生装置のディスク装着部は図５（ｂ）又は（ｃ）に示すように、空気が流入できる構造を有している。
【００４７】
光情報記録再生プレイヤーのディスク装着部にターンテーブルを装着し、その上に薄型ディスクを乗せ、図２（ｃ）に示すマグネットキャップで、それぞれ同芯に固定した。ＤＶＤプレイヤを４０００ｒｐｍで回転させ、フォーカスエラー信号の最大値を測定したところ、最大値は４４０ｍＶであった。
【００４８】
一方、ガラス板の内周端に空気流入用の切りかきを設けないものを用いて、同様にフォーカスエラー信号の最大値を測定したところ、最大値は１７００ｍＶであった。
【００４９】
これは、実施例１と同様に、ガラス板の内周端に空気流入用の切りかきを設けることによりフレキシブル基板とガラス基板間に空気の流れが発生し、これによりエア噛みが防止されたと考えられる。
【００５０】
＜まとめ＞
以上のように、本発明における、厚みが０．３ｍｍ以下の薄型ディスクに対して光情報記録及び／又は再生を行なうための光情報記録再生装置は、ターンテーブルと薄型ディスクを取り付け、それら一体として回転させる、ディスク装着部（スピンドル部）と、ディスク装着部における薄型ディスクの装着を安定させるためのキャップと、光ピックアップ及びサーボ回路を含む記録再生部と、を備えている。ターンテーブルと薄型ディスクとの間には、スペーサーによって隙間が形成され、ディスク装着部は、回転時に空気を流入させるための空気流入部と、流入した空気を前記隙間に誘導するための空気誘導部と、を有している。そして、隙間に誘導された空気は、隙間全体に広がって薄型ディスクの外周端より排出され、薄型ディスクにおけるエア噛みの現象が解消され、よって、薄型ディスクを安定に回転させることができる。このため、薄型ディスクであっても安定的に情報の記録再生動作を実行することができるようになる。
【００５１】
また、別の態様として、ディスク装着部には、回転時に空気を流入させるための空気流入部のみを設け、ターンテーブルに、流入した空気をターンテーブルとディスク間に形成された隙間に誘導するための空気誘導切り欠き部を設けるようにしても、上述と同様の効果が得られる。
【００５２】
具体的には、上記空気流入部は、ディスク装着部の表面から底部に向かって貫通する貫通孔や、ディスク装着部の表面に設けられた切り欠きであることが好ましい。また、空気誘導部は、ディスク装着部のコーン形状部のスロープに形成された切り欠きであることが望ましい。このようにすることにより、ディスクを回転させれば効率よく空気をターンテーブルとディスク間に形成された隙間に行き渡らせることができ、効率よくエア噛みの現象を解消することができる。また、従来からあるスピンドルに工夫を施すだけなので、装置全体を大型化することもない。
【００５３】
本発明のさらに別の態様における光情報記録再生装置では、キャップに回転時に空気を流入させるための空気流入部を設けて、ディスク装着部に流入した空気を隙間に誘導するための空気誘導部のみを設けている。これによっても隙間全体に広がって薄型ディスクのエア噛みの現象を抑えることができる。このとき、空気流入部は、キャップの表面から裏面に貫通する貫通孔であり、空気誘導部は、ディスク装着部のコーン形状部のスロープに形成された切り欠きである。これが好ましい組み合わせの１つと言える。
【００５４】
なお、以上の各態様の光情報記録再生装置においては、空気流入部は、回転中心対称に円周状に複数設けられていることが好ましい。このようにすれば、ターンテーブルとディスクの間の隙間に満遍なく空気を行き渡らせることができる。
【００５５】
また、スペーサーは空気導入が可能であればどのような形状でもいいが、製造の容易等のためには、溝、穴、及び切れ込みのいずれかが形成されていることが好ましい。
【００５６】
さらに、ターンテーブルとスペーサーは一体として成形されていてもよく、スペーサーは取り外し可能であっても良い。
【図面の簡単な説明】
【００５７】
【図１】本発明の光情報記録再生装置の概略構成を示す図である。
【図２】本発明のスピンドル部及びキャップの構成例を示す図である。
【図３】本発明の光情報記録再生装置で用いられるターンテーブル及びスペーサーの構成を示す図である。
【図４】本発明のスピンドル部及びキャップの別の態様の構成例を示す図である。
【図５】本発明のターンテーブル及びスピンドル部の別の態様の構成例を示す図である。
【図６】Ｂｌｕ−ｒａｙ対応の光情報記録再生装置の概略構成を示す図である。
【図７】実施例１において計測されたフォーカスエラー信号を示す図である。
【符号の説明】
【００５８】
１０        ターンテーブル
１１        スピンドル部
１２        スペーサー
１３        キャップ
２０        薄型ディスク
１１１      空気流入孔
１１２      空気誘導部
【図１】
2008217861.tif 000003
【図２】
2008217861.tif 000004
【図３】
2008217861.tif 000005
【図４】
2008217861.tif 000006
【図５】
2008217861.tif 000007
【図６】
2008217861.tif 000008
【図７】
2008217861.tif 000009